(57)【要約】      （修正有）【課題】実物見本として一覧的に陳列保持でき、その確認、試用も可能にし、また促販用見本としても好適であり、更には例えばメモ用紙等の止着にも使用可能な文具を提供する。【解決手段】金属材料、合成樹脂材料からなるネジ・ボルト等の締結部材１において、磁石Ｍをネジ・ボルトのねじ込み軸部１ｂに埋設し、該ねじ込み軸部１ｂの先端面に磁石Ｍのいずれか一方の極性面を露出してなるものとする。また、締結部材１は収納ケース内に収納保管可能としてある。【選択図】図１
0003136977.tif 000002
【実用新案登録請求の範囲】
【請求項１】
金属材料、合成樹脂材料からなるネジ・ボルトの締結部材において、磁石をネジ・ボルトのねじ込み軸部に埋設し、該ねじ込み軸部の先端面に磁石のいずれか一方の極性面を露出してなることを特徴とする締結部材。
【請求項２】
磁石をネジ・ボルトのねじ込み軸部に埋設し、該ねじ込み軸部の先端面に磁石のいずれか一方の極性面を露出して締結部材を形成し、該締結部材を収納ケースに収納したことを特徴とする締結部材。
【考案の詳細な説明】
【技術分野】
【０００１】
本考案は、例えば陳列販売する際にネジ・ボルト等のそれぞれ自体の見本として、また例えば文具としても使用できる磁着構造のネジ・ボルト等の締結部材に関する。
【背景技術】
【０００２】
一般に締結部材であるネジの種類としては、例えばナベ小ネジ・皿小ネジ・トラス小ネジ・バインド小ネジ・丸皿小ネジ等がある。また、ボルトの種類としては、例えば六角ボルト・六角ボルトウィット・十字穴付アブセットボルト・六角穴付ボルト・六角穴付ボタンボルト・六角穴付皿ボルト・蝶ボルト・フランジボルト・アイボルト・アイボルトウィット・根角ボルト等がある。
【０００３】
従来においては、これら種々のネジ・ボルト等の締結部材は、例えば鉄・ステンレス・非鉄金属等の無垢の金属材料によって形成され、その表面には、耐久性である例えば防蝕・耐摩耗等のためのメッキによる表面処理が施されている。また、場合によっては合成樹脂材料によって構成されている。
【０００４】
ネジ・ボルト等の締結部材の具体的な製造方法としては、ネジ・ボルトに加工する前の金属材料は例えば巻いたロープやコイルのような状態であり、これをヘッダー圧造工程において、切断した金属材料を金型で押し付け、ネジ・ボルトの頭部に当たる部分とねじ込み軸部に当たる部分とを圧造成形する。
【０００５】
ヘッダー圧造機は、一定以上の力を連続して加えて金属を変形させると、元に戻らなくなる性質を利用した加工法であり、素材を常温状態でそのまま加工できるため、加工スピードが速く精度の高い製品を量産できるという特徴を有するものである。
【０００６】
そして、ローリング加工工程において、ねじ山となる斜めの切れ込みが入っている平板状のダイスと称する金型で金属材料を挟み、擦り合わせてねじ山を造る。加工の終わったネジ・ボルトはメッキ処理を施し、さらに着色や緩み止め等の特殊加工を施すことによって完成される。
【０００７】
このようにして構成されたネジ・ボルト等の締結部材は、例えば販売、使用に際し、それぞれの形態、大小、ネジピッチその他に応じて種類別に保管、陳列され、更にねじ止め対象物に対応したものが選別されて使用される。
【特許文献１】特になし
【考案の開示】
【考案が解決しようとする課題】
【０００８】
このような従来におけるネジ・ボルト等の締結部材は、例えば販売その他に際し、実物見本として陳列等されるとき、それぞれの実物見本を各別に一覧的に並べるにはそれぞれが比較的に小さいために例えば紐材等で固定したり、実物とせずにその外観図を表示したり等で行っている。そうすると、実物を実際に手にとって確認するのは困難であり、またねじ止め対象物に実際に仮止め試用して検証するのもほとんど不可能であり、その結果、異なるものを誤って購入してしまうことにもなる。
【０００９】
そこで、本考案は叙上のような従来存した諸事情に鑑み創案されたもので、ネジ・ボルト等の締結部材を例えばその実物見本を簡単に並べて一覧的にでも陳列でき、同時にそれを実際に手にとって確認もでき、また試用可能にするばかりでなく、例えば収納ケース内で一覧的な陳列態様にして促販用の見本として提供するにも好適であり、更には例えばメモ用紙等の止着にも使用可能な文具としても利用できる締結部材を提供することを目的とする。
【課題を解決するための手段】
【００１０】
上述した課題を解決するため、本考案にあっては、金属材料、合成樹脂材料からなるネジ・ボルトの締結部材１において、磁石Ｍをネジ・ボルトのねじ込み軸部１ｂに埋設し、該ねじ込み軸部１ｂの先端面に磁石Ｍのいずれか一方の極性面を露出してなるものである。
また、以上のように構成された締結部材１を、例えば磁着性ある素材にて形成された収納ケースＰに収納して成るものである。
【００１１】
以上のように構成された本考案に係るネジ・ボルト等の締結部材１にあって、ねじ込み軸部１ｂの先端面に一方の極性面を露出した磁石Ｍは、これを透磁性を有する磁着面に当接させた際に、例えばネジ・ボルトの頭部１ａを上に向けた状態でねじ込み軸部１ｂを起立保持させる。
収納ケースＰ内に収納の締結部材１は、磁石Ｍによって起立された状態で収納されることで、一覧的な陳列形態となり、例えば促販用見本として有効に利用させる。
【考案の効果】
【００１２】
本考案によれば、ネジ・ボルト等の締結部材１として、例えばその実物見本を簡単に並べて一覧的にでも陳列でき、同時にそれを簡単に実際に手にとって確認でき、また陳列されていても簡単に試用可能である。そればかりでなく、一覧的な陳列態様にして促販用の見本として例えば収納ケースＰ内に収納して提供するにも好適であり、更には例えばメモ用紙等の止着にも使用可能な文具としても利用できる。そしてまた、保管用の収納ケースＰ等の中に整然とした状態で起立収容できることで、これによって希望の種類・サイズのものを容易に取り出すこともでき、しかも取り出しに際しての収納ケースＰ外への飛散を防止することもできる。
【００１３】
この場合、ネジ・ボルト等の締結部材１を収納ケースＰの壁面を通してそのまま例えばキャビネット等に磁着させることができる。
【００１４】
また、上記した構成のネジ・ボルト等の締結部材１を使用することによって、例えば磁着可能なホワイトボード等にメモ用紙やその他のシート状物を止めておくことができる。その他、磁石Ｍとして各種のものを止めておくためにも使用可能である。すなわち、ねじ込み軸部１ｂに埋設した磁石Ｍの磁着力によって、例えばホワイトボードに各種の用紙その他を仮止めする文具としての止め具としても利用でき、全体がネジ・ボルト等の締結部材１の形状を呈していることで、その用紙等はあたかもしっかりとネジ止めされているような印象を与え、興趣性に富むものとすることもできる。
【００１５】
更には、各種の頭部形状を呈するネジ・ボルトの見本としても利用でき、これを多数にして陳列するときにも、磁石Ｍによる磁着作用で例えば起立させて整然と並べることができ、それらの比較、対照等をも容易にすることができる。
【００１６】
また、合成樹脂材料にて締結部材１を形成するとき、ねじ込み軸部１ｂに埋設してある磁石Ｍは、その着磁作用で各種の磁着可能な金属材その他に止着でき、合成樹脂材料製の締結部材１の使用・適用範囲を増大させるのに役立つ。
【００１７】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための最良の形態】
【００１８】
以下、図面を参照して本考案を実施するための最良の一形態を説明する。図において示される符号１は、例えば鉄・ステンレス・非鉄金属等の金属材料によって形成された頭部１ａとねじ込み軸部１ｂとからなるネジ・ボルト等の締結部材である。該締結部材１の表面には、耐久性すなわち防蝕・耐摩耗等のための例えばクロームメッキ等による表面処理が施されている。また、場合によっては締結部材１自体を合成樹脂材料にて構成することも可能である。
【００１９】
このネジ・ボルト等の締結部材１のねじ込み軸部１ｂには、ネジの場合、図１（ａ）に示すように、またボルトの場合、図１（ｂ）に示すように、当該ねじ込み軸部１ｂの先端面から頭部１ａ側に向けて例えば横断面で円形を呈する穴状の磁石収容空洞部２が形成されている。
【００２０】
そして、磁石収容空洞部２内には例えば円柱状の磁石Ｍが、このＮ／Ｓの極性のいずれか一方を内側に向けて圧入嵌挿され、磁石収容空洞部２の開口側内周縁を磁石Ｍ端面の内側に向けて若干カシメて圧潰部３とすることで当該磁石Ｍは固定されている。こうして磁石Ｍの一方の極性は磁石収容空洞部２の開口面に面一となった状態で露出される。
【００２１】
尚、磁石収容空洞部２内で磁石Ｍを固定させる他の構成として、例えば磁石Ｍ端面の周囲と磁石収容空洞部２の開口側内周縁とを接着剤等によって固定しても良い。また、磁石収容空洞部２および磁石Ｍの形状は、円柱状に限らず、この他の形状として例えば角柱状のものであっても良い。
【００２２】
上記した構成による締結部材１として具体的なネジの種類は、例えばナベ小ネジ・皿小ネジ・トラス小ネジ・バインド小ネジ・丸皿小ネジ等がある。また、具体的なボルトの種類は、六角ボルト・六角ボルトウィット・十字穴付アブセットボルト・六角穴付ボルト・六角穴付ボタンボルト・六角穴付皿ボルト・蝶ボルト・フランジボルト・アイボルト・アイボルトウィット・根角ボルト等がある。
【００２３】
これらネジ・ボルト等の締結部材１は、例えば促販用、実物見本として、更には不使用の際には磁着可能な金属製等の例えば蓋付缶による保管用の収納ケースＰ内に収容される。そして、収容した際には、ねじ込み軸部１ｂ先端が収納ケースＰ内底面に磁石Ｍの磁気力によって吸引されることから、図２に示すように、ネジ・ボルト等の締結部材１はこの頭部１ａを上に向けた状態でねじ込み軸部１ｂを起立保持させるのである。
【００２４】
また、ネジ・ボルト等の締結部材１を使用する際には、ねじ込み軸部１ｂがねじ込まれるねじ穴部分が磁着可能な素材によって形成されていれば、ねじ込み軸部１ｂの先端側はねじ穴開口側で磁石Ｍの磁気力で吸引保持された状態となり、これによってネジ・ボルト等の締結部材１のねじ込み操作が容易に行えるのである。
【００２５】
次に、以上のように構成された最良の形態におけるネジ・ボルト等の締結部材１の製造の手順の一例について図３に基づき説明する。
【００２６】
先ず、ステップ１でネジ・ボルトに加工する前のロープ状・コイル状の金属材料をヘッダー圧造機に送り、切断した金属材料を金型で押し付け、ネジ・ボルトの頭部１ａに当たる部分とねじ込み軸部１ｂに当たる部分とを圧造成形する。
【００２７】
ステップ２において、このねじ込み軸部１ｂに当たる部分の圧造成形に際し、ねじ込み軸部１ｂの先端面から頭部１ａ側に向けて切削機器である例えばドリルもしくは回転旋盤等によって円形穴状の磁石収容空洞部２を形成する。
【００２８】
ステップ３において、この磁石収容空洞部２内に円柱状の磁石Ｍを、Ｎ／Ｓの極性のいずれか一方を内側に向けて圧入嵌挿する。
【００２９】
ステップ４において、磁石収容空洞部２の開口側内周縁を磁石Ｍ端面の内側に向けて若干カシメることで環状の圧潰部３を形成し当該磁石Ｍを固定する。
【００３０】
次いで、ステップ５において、ローリング加工機に送り、ねじ山となる斜めの切れ込みが入っている平板状のダイスと称する金型でねじ込み軸部１ｂに当たる部分を挟み、擦り合わせてねじ山を造る。
【００３１】
ステップ６において、加工の終わったネジ・ボルト等の締結部材１にメッキ処理を施し、さらに着色や緩み止め等の特殊加工を施すことによって完成され、この完成品は例えば保管用、促販用の収納ケースＰに入れられて搬送される。
【図面の簡単な説明】
【００３２】
【図１】本考案を実施するための最良の形態におけるネジ・ボルト等の締結部材を示すもので、（ａ）は十字溝を備えた頭部となっている締結部材の一部切欠側面図、（ｂ）は六角頭部となっている締結部材の一部切欠側面図である。
【図２】同じく締結部材の収納ケース内への収納状態を示す斜視図である。
【図３】同じくネジ・ボルト等の締結部材の製造手順のフローチャートを示す図である。
【符号の説明】
【００３３】
Ｐ…収納ケース                          Ｍ…磁石
１…締結部材（ネジ・ボルト）            １ａ…頭部
１ｂ…ねじ込み軸部                      ２…磁石収容空洞部
３…圧潰部
【図１】
0003136977.tif 000003
【図２】
0003136977.tif 000004
【図３】
0003136977.tif 000005